(57)【特許請求の範囲】
【請求項１】
互いに対向する画素電極及び対向電極間に電気泳動粒子を含む電気光学物質を夫々有する複数の画素からなる表示部と、前記複数の画素の各々の前記画素電極及び前記対向電極間に電圧を印加する駆動部とを備えた電気泳動表示装置を制御する制御方法であって、
前記表示部に表示されている画像を、第１階調及び該第１階調と異なる第２階調で表示された第１画像から前記第１階調で表示された第２画像へ書き換える際、
前記複数の画素のうち表示すべき階調が前記第２階調から前記第１階調へ変化する画素である第１画素の前記画素電極及び前記対向電極間に前記第１階調に対応する電圧が印加されるように、かつ、
前記複数の画素のうち表示すべき階調が前記第１階調のままで変化しない画素のうち、前記第１画像が前記表示部に表示されていたときに前記第２階調を表示していた画素に隣り合う辺を２辺以上有する画素である第２画素の前記画素電極及び前記対向電極間に前記第１階調に対応する電圧が印加されるように、かつ、
前記複数の画素のうち表示すべき階調が前記第１階調のままで変化しない画素のうち前記第２画素以外の画素である第３画素の前記画素電極及び前記対向電極間に電圧が印加されないように、
前記駆動部を制御することを特徴とする電気泳動表示装置の制御方法。
【請求項２】
互いに対向する画素電極及び対向電極間に電気泳動粒子を含む電気光学物質を夫々有する複数の画素からなる表示部と、前記複数の画素の各々の前記画素電極及び前記対向電極間に電圧を印加する駆動部とを備えた電気泳動表示装置を制御する制御方法であって、
表示部に表示されている画像を、第１階調及び該第１階調と異なる第２階調で表示された第１画像から該第１画像と異なる前記第１及び第２階調で表示された第２画像へ書き換える際、
前記複数の画素のうち表示すべき階調が前記第２階調から前記第１階調へ変化する画素である第１画素の前記画素電極及び前記対向電極間に前記第１階調に対応する電圧が印加されるように、かつ、
前記複数の画素のうち表示すべき階調が前記第１階調のままで変化しない画素のうち、前記第１画像が前記表示部に表示されていたときに前記第２階調を表示していた画素に隣り合う辺を２辺以上有する画素である第２画素の前記画素電極及び前記対向電極間に前記第１階調に対応する電圧が印加されるように、かつ、
前記複数の画素のうち表示すべき階調が前記第１階調のままで変化しない画素のうち前記第２画素以外の画素である第３画素の前記画素電極及び前記対向電極間に電圧が印加されないように、かつ、
前記複数の画素のうち表示すべき階調が前記第１階調から前記第２階調へ変化する画素である第４画素の前記画素電極及び前記対向電極間に前記第２階調に応じた電圧が印加されるように、かつ、
前記複数の画素のうち表示すべき階調が前記第２階調のままで変化しない画素である第５画素の前記画素電極及び前記対向電極間に電圧が印加されないように、
前記駆動部を制御することを特徴とする電気泳動表示装置の制御方法。
【請求項３】
互いに対向する画素電極及び対向電極間に電気泳動粒子を含む電気光学物質を夫々有する複数の画素からなる表示部と、前記複数の画素の各々の前記画素電極及び前記対向電極間に電圧を印加する駆動部とを備えた電気泳動表示装置を制御する制御装置であって、
表示部に表示されている画像を、第１階調及び該第１階調と異なる第２階調で表示された第１画像から前記第１階調で表示された第２画像へ書き換える際、
前記複数の画素のうち表示すべき階調が前記第２階調から前記第１階調へ変化する画素である第１画素の前記画素電極及び前記対向電極間に前記第１階調に対応する電圧が印加されるように、かつ、
前記複数の画素のうち表示すべき階調が前記第１階調のままで変化しない画素のうち、前記第１画像が前記表示部に表示されていたときに前記第２階調を表示していた画素に隣り合う辺を２辺以上有する画素である第２画素の前記画素電極及び前記対向電極間に前記第１階調に対応する電圧が印加されるように、かつ、
前記複数の画素のうち表示すべき階調が前記第１階調のままで変化しない画素のうち前記第２画素以外の画素である第３画素の前記画素電極及び前記対向電極間に電圧が印加されないように、
前記駆動部を制御することを特徴とする電気泳動表示装置の制御装置。
【請求項４】
互いに対向する画素電極及び対向電極間に電気泳動粒子を含む電気光学物質を夫々有する複数の画素からなる表示部と、前記複数の画素の各々の前記画素電極及び前記対向電極間に電圧を印加する駆動部とを備えた電気泳動表示装置を制御する制御装置であって、
表示部に表示されている画像を、第１階調及び該第１階調と異なる第２階調で表示された第１画像から該第１画像と異なる前記第１及び第２階調で表示された第２画像へ書き換える際、
前記複数の画素のうち表示すべき階調が前記第２階調から前記第１階調へ変化する画素である第１画素の前記画素電極及び前記対向電極間に前記第１階調に対応する電圧が印加されるように、かつ、
前記複数の画素のうち表示すべき階調が前記第１階調のままで変化しない画素のうち、前記第１画像が前記表示部に表示されていたときに前記第２階調を表示していた画素に隣り合う辺を２辺以上有する画素である第２画素の前記画素電極及び前記対向電極間に前記第１階調に対応する電圧が印加されるように、かつ、
前記複数の画素のうち表示すべき階調が前記第１階調のままで変化しない画素のうち前記第２画素以外の画素である第３画素の前記画素電極及び前記対向電極間に電圧が印加されないように、かつ、
前記複数の画素のうち表示すべき階調が前記第１階調から前記第２階調へ変化する画素である第４画素の前記画素電極及び前記対向電極間に前記第２階調に応じた電圧が印加されるように、かつ、
前記複数の画素のうち表示すべき階調が前記第２階調のままで変化しない画素である第５画素の前記画素電極及び前記対向電極間に電圧が印加されないように、
前記駆動部を制御することを特徴とする電気泳動表示装置の制御装置。
【請求項５】
請求項３又は４に記載の電気泳動表示装置の制御装置を備えることを特徴とする電気泳動表示装置。
【請求項６】
請求項５に記載の電気泳動表示装置を備えることを特徴とする電子機器。
【発明の詳細な説明】
【技術分野】
【０００１】
本発明は、電気泳動表示装置の制御方法、電気泳動表示装置の制御装置、電気泳動表示装置、及び電子機器の技術分野に関する。
【背景技術】
【０００２】
この種の電気光学装置の一例として、電気泳動粒子を含む電気泳動素子を挟んで対向する画素電極及び対向電極間に電圧を印加して、例えば黒色粒子及び白色粒子等の電気泳動粒子を移動させることで表示部に画像を表示する電気泳動表示装置がある（例えば特許文献１から３参照）。このような電気泳動表示装置では、表示部に表示されている画像を書き換える際、画像が部分的にしか変化しない場合には、変化する部分に対応する画素のみにおける画素電極及び対向電極間に電圧を印加することにより、画像を部分的に書き換える駆動方法（以下「部分書き換え駆動」と適宜称する）が採用されることがある。このような部分書き換え駆動が採用された電気泳動表示装置では、例えば、表示部に表示される画像のうち黒色で表示される黒画像部分と白色で表示される白画像部分との境界部が滲んだように表示されてしまうおそれがある、言い換えれば、黒画像部分の輪郭部が白画像部分側に広がったように（或いは膨らんだように）表示されてしまうおそれがあることが知られている。このような境界部の滲みが発生すると、黒画像部分に対応する画素のみに電圧を印加することにより、表示部に表示される画像を全白画像に書き換えた場合、境界部の滲みが残像として残ってしまう、言い換えれば、表示されていた黒画像部分の輪郭部に沿った残像が発生してしまうおそれがある。なお、以下では、このような輪郭部に沿った残像が発生する現象、或いは、このような輪郭部に沿った残像そのものを「輪郭残像」と適宜称する。例えば特許文献１から３には、表示部に表示された画像を部分書き換え駆動により全白画像に書き換える（即ち、黒画像部分を消去する）際、黒画像部分に対応する画素に加えて、黒画像部分の輪郭部に対応する画素と隣り合って配置され白色を表示する画素にも電圧を印加することにより、輪郭残像を消去する技術が開示されている。
【先行技術文献】
【特許文献】
【０００３】
【特許文献１】特開２０１０−１１３２８１号公報
【特許文献２】特開２０１０−１１３２８２号公報
【特許文献３】特開２０１０−２１１０３３号公報
【発明の概要】
【発明が解決しようとする課題】
【０００４】
しかしながら、前述した例えば特許文献１から３に開示された技術によれば、黒画像部分の輪郭部に対応する画素と隣り合って配置され白色を表示する画素に対して一律に、輪郭残像を消去するための電圧が印加されるので、表示部における輪郭残像が表示されない部分に対応する画素に電圧が印加されてしまうおそれがある。よって、表示部において局所的にＤＣバランス（即ち、画素電極及び対向電極間に対向電極側の電位よりも画素電極側の電位が高くなる電圧が印加される時間と、画素電極及び対向電極間に対向電極側の電位よりも画素電極側の電位が低くなる電圧が印加される時間とのつり合い）が崩れてしまうおそれがあるという技術的問題点がある。
【０００５】
本発明は、例えば前述した問題点に鑑みなされたものであり、ＤＣバランスが崩れることを抑制しつつ、輪郭残像の発生を低減可能な電気光学装置の制御方法、電気光学装置の制御装置、電気光学装置、及び電子機器を提供することを課題とする。
【課題を解決するための手段】
【０００６】
本発明に係る第１の電気光学装置の制御方法は上記課題を解決するために、互いに対向する画素電極及び対向電極間に電気光学物質を夫々有する複数の画素からなる表示部と、前記複数の画素の各々の前記画素電極及び前記対向電極間に電圧を印加する駆動部とを備えた電気光学装置を制御する制御方法であって、前記表示部に表示されている画像を、第１階調及び該第１階調と異なる第２階調で表示された第１画像から前記第１階調で表示された第２画像へ書き換える際、前記複数の画素のうち表示すべき階調が前記第２階調から前記第１階調へ変化する画素である第１画素の前記画素電極及び前記対向電極間に前記第１階調に対応する電圧が印加されるように、かつ、前記複数の画素のうち表示すべき階調が前記第１階調のままで変化しない画素のうち、前記第１画像が前記表示部に表示されていたときに前記第２階調を表示していた画素に隣り合う辺を２辺以上有する画素である第２画素の前記画素電極及び前記対向電極間に前記第１階調に対応する電圧が印加されるように、かつ、前記複数の画素のうち表示すべき階調が前記第１階調のままで変化しない画素のうち前記第２画素以外の画素である第３画素の前記画素電極及び前記対向電極間に電圧が印加されないように、前記駆動部を制御する。
【０００７】
本発明に係る第１の電気光学装置の制御方法によって制御される電気光学装置は、例えばアクティブマトリクス駆動方式の電気泳動表示装置などであり、例えばマトリクス状に配列された複数の画素からなる表示部と、各画素の画素電極及び対向電極間に例えば画像データに応じた電圧を印加する駆動部とを備える。駆動部が、複数の画素の各々における画素電極及び対向電極間に画像データに応じた電圧を印加することにより、表示部に例えば画像データに応じた画像が表示される。
【０００８】
本発明に係る第１の電気光学装置の制御方法によれば、表示部に表示されている画像を、第１階調（例えば白色）及び第２階調（例えば黒色）で表示された第１画像（例えば白黒の２階調画像）から第１階調（例えば白色）で表示された第２画像（例えば全白画像）へ書き換える際、言い換えれば、表示部に表示されている第１画像のうち第２階調で表示された部分を消去する際、以下のように駆動部が制御される。
【０００９】
即ち、表示すべき階調が第２階調（例えば黒色）から第１階調（例えば白色）へ変化する画素である第１画素の画素電極及び対向電極間に第１階調に応じた電圧（例えば、画素電極側の電位が対向電極側の電位よりも低い電圧）が印加されるように、かつ、複数の画素のうち表示すべき階調が第１階調（例えば白色）のままで変化しない画素のうち、第１画像が表示部に表示されていたときに第２階調（例えば黒色）を表示していた画素に隣り合う辺を２辺以上有する画素である第２画素の画素電極及び対向電極間に第１階調に対応する電圧が印加されるように、かつ、複数の画素のうち表示すべき階調が第１階調（例えば白色）のままで変化しない画素のうち第２画素以外の画素である第３画素の画素電極及び対向電極間に電圧が印加されないように、駆動部が制御される。なお、画素は、典型的には、４つの辺を有する四角形の平面形状を有するが、画素が多角形の平面形状を有していれば本発明は適用可能であり、画素は、例えば三角形や六角形の平面形状を有していてもよい。
【００１０】
ここで、本発明では、第１画像は、典型的には、表示部に第１階調（例えば白色）のみからなる画像（例えば全白画像）が表示されているときに、複数の画素のうちの一部の画素（即ち、第１画像のうち第２階調（例えば黒色）で表示される部分に対応する画素）の画素電極及び対向電極間に第２階調に対応する電圧（例えば、画素電極側の電位が対向電極側の電位よりも高い電圧）が印加されるように、かつ、複数の画素のうちの前記一部の画素以外の画素の画素電極及び対向電極間に電圧が印加されないように、駆動部が制御されることにより、表示部に表示される。本願発明者の研究によれば、駆動部がこのように制御されることにより第１画像が表示部に表示される場合、第１階調を表示すべき画素（即ち、電圧が印加されない画素）のうち第２階調を表示すべき画素（第２階調に対応する電圧が印加される画素）に隣り合う辺を２辺以上有する画素には、隣り合う画素に印加される第２階調に対応する電圧の影響により第１階調と異なる階調が表示されてしまう傾向があるとともに、第１階調を表示すべき画素のうち第２階調を表示すべき画素に隣り合う辺を１辺のみ有する画素及び１辺も有さない画素には、第１階調が確実に表示される傾向があることが判明している。第１画像が表示部に表示されたときに前述のように第１階調を表示すべき画素に第１階調と異なる階調が表示されてしまうと、仮に複数の画素のうち第１階調を表示している画素のみに第２階調に対応する電圧が印加されるとともに、その他の画素に電圧が印加されないように駆動部を制御することにより第２画像に書き換える場合には、第１画像が表示部に表示されていたときに第１階調を表示すべきであった画素のうち第２階調を表示していた画素に隣り合う辺を２辺以上有する画素に輪郭残像が発生してしまうおそれがある。
【００１１】
しかるに、本発明では特に、前述したように、表示部に表示されている画像を、第１画像から第２画像へ書き換える際、複数の画素のうち表示すべき階調が第１階調（例えば白色）のままで変化しない画素のうち、第１画像が表示部に表示されていたときに第２階調（例えば黒色）を表示していた画素に隣り合う辺を２辺以上有する画素である第２画素の画素電極及び対向電極間に第１階調に対応する電圧が印加されるように、駆動部を制御するので、輪郭残像が発生しやすい傾向がある第２画素に輪郭残像が発生することを低減できる。この結果、表示部に高品質な画像を表示することが可能となる。
【００１２】
更に、本発明では特に、輪郭残像がほとんど或いは実践上は全く発生しない傾向がある第３画素の画素電極及び対向電極間に電圧が印加されないので、例えば、複数の画素のうち表示すべき階調が第１階調（例えば白色）のままで変化しない画素のうち、第１画像が表示部に表示されていたときに第２階調（例えば黒色）を表示していた画素に隣り合う辺を有する全ての画素の画素電極及び対向電極間に第１階調に対応する電圧が印加されるように、駆動部を制御する場合と比較して、ＤＣバランスが崩れることを抑制できる。よって、電気光学装置の信頼性を向上させることができる。
【００１３】
以上説明したように、本発明に係る第１の電気光学装置の制御方法によれば、ＤＣバランスが崩れることを抑制しつつ、輪郭残像の発生を低減できる。この結果、表示部に高品質な画像を表示することが可能になるとともに、電気光学装置の信頼性を向上させることができる。
【００１４】
本発明に係る第２の電気光学装置の制御方法は上記課題を解決するために、互いに対向する画素電極及び対向電極間に電気光学物質を夫々有する複数の画素からなる表示部と、前記複数の画素の各々の前記画素電極及び前記対向電極間に電圧を印加する駆動部とを備えた電気光学装置を制御する制御方法であって、表示部に表示されている画像を、第１階調及び該第１階調と異なる第２階調で表示された第１画像から該第１画像と異なる前記第１及び第２階調で表示された第２画像へ書き換える際、前記複数の画素のうち表示すべき階調が前記第２階調から前記第１階調へ変化する画素である第１画素の前記画素電極及び前記対向電極間に前記第１階調に対応する電圧が印加されるように、かつ、前記複数の画素のうち表示すべき階調が前記第１階調のままで変化しない画素のうち、前記第１画像が前記表示部に表示されていたときに前記第２階調を表示していた画素に隣り合う辺を２辺以上有する画素である第２画素の前記画素電極及び前記対向電極間に前記第１階調に対応する電圧が印加されるように、かつ、前記複数の画素のうち表示すべき階調が前記第１階調のままで変化しない画素のうち前記第２画素以外の画素である第３画素の前記画素電極及び前記対向電極間に電圧が印加されないように、かつ、前記複数の画素のうち表示すべき階調が前記第１階調から前記第２階調へ変化する画素である第４画素の前記画素電極及び前記対向電極間に前記第２階調に応じた電圧が印加されるように、かつ、前記複数の画素のうち表示すべき階調が前記第２階調のままで変化しない画素である第５画素の前記画素電極及び前記対向電極間に電圧が印加されないように、前記駆動部を制御する。
【００１５】
本発明に係る第２の電気光学装置の制御方法によって制御される電気光学装置は、例えばアクティブマトリクス駆動方式の電気泳動表示装置などである。
【００１６】
本発明に係る第２の電気光学装置の制御方法によれば、表示部に表示されている画像を、第１階調（例えば白色）及び第２階調（例えば黒色）で表示された第１画像（例えば白黒の２階調画像）から、該第１画像とは異なる、第１及び第２階調で表示された第２画像（例えば白黒の２階調画像）へ書き換える際、表示すべき階調が第２階調（例えば黒色）から第１階調（例えば白色）へ変化する画素である第１画素の画素電極及び対向電極間に第１階調に応じた電圧（例えば、画素電極の電位が対向電極の電位よりも低い電圧）が印加されるように、かつ、複数の画素のうち表示すべき階調が第１階調（例えば白色）のままで変化しない画素のうち、第１画像が表示部に表示されていたときに第２階調（例えば黒色）を表示していた画素に隣り合う辺を２辺以上有する画素である第２画素の画素電極及び対向電極間に第１階調に対応する電圧が印加されるように、かつ、複数の画素のうち表示すべき階調が第１階調（例えば白色）のままで変化しない画素のうち第２画素以外の画素である第３画素の画素電極及び対向電極間に電圧が印加されないように、かつ、複数の画素のうち表示すべき階調が第１階調（例えば白色）から第２階調（例えば黒色）へ変化する画素である第４画素の画素電極及び対向電極間に第２階調に応じた電圧が印加されるように、かつ、複数の画素のうち表示すべき階調が第２階調（例えば黒色）のままで変化しない画素である第５画素の画素電極及び対向電極間に電圧が印加されないように、駆動部が制御される。
【００１７】
よって、前述した本発明に係る第１の電気光学装置の制御方法と同様に、ＤＣバランスが崩れることを抑制しつつ、輪郭残像が発生しやすい傾向がある第２画素に輪郭残像が発生することを低減できる。この結果、表示部に高品質な画像を表示することが可能になるとともに、電気光学装置の信頼性を向上させることができる。更に、表示部に表示されている画像を、第１画像から第２画像に、例えば第１階調のみで表示された画像（例えば全白画像）を表示部に表示させることなく直接的に書き換えることができる。
【００１８】
本発明に係る第１の電気光学装置の制御装置は上記課題を解決するために、互いに対向する画素電極及び対向電極間に電気光学物質を夫々有する複数の画素からなる表示部と、前記複数の画素の各々の前記画素電極及び前記対向電極間に電圧を印加する駆動部とを備えた電気光学装置を制御する制御装置であって、表示部に表示されている画像を、第１階調及び該第１階調と異なる第２階調で表示された第１画像から前記第１階調で表示された第２画像へ書き換える際、前記複数の画素のうち表示すべき階調が前記第２階調から前記第１階調へ変化する画素である第１画素の前記画素電極及び前記対向電極間に前記第１階調に対応する電圧が印加されるように、かつ、前記複数の画素のうち表示すべき階調が前記第１階調のままで変化しない画素のうち、前記第１画像が前記表示部に表示されていたときに前記第２階調を表示していた画素に隣り合う辺を２辺以上有する画素である第２画素の前記画素電極及び前記対向電極間に前記第１階調に対応する電圧が印加されるように、かつ、前記複数の画素のうち表示すべき階調が前記第１階調のままで変化しない画素のうち前記第２画素以外の画素である第３画素の前記画素電極及び前記対向電極間に電圧が印加されないように、前記駆動部を制御する。
【００１９】
本発明に係る第１の電気光学装置の制御装置によれば、前述した本発明に係る第１の電気光学装置の制御方法と同様に、電気光学装置において、ＤＣバランスが崩れることを抑制しつつ、輪郭残像の発生を低減できる。この結果、表示部に高品質な画像を表示することが可能になるとともに、電気光学装置の信頼性を向上させることができる。
【００２０】
本発明に係る第２の電気光学装置の制御装置は上記課題を解決するために、互いに対向する画素電極及び対向電極間に電気光学物質を夫々有する複数の画素からなる表示部と、前記複数の画素の各々の前記画素電極及び前記対向電極間に電圧を印加する駆動部とを備えた電気光学装置を制御する制御装置であって、表示部に表示されている画像を、第１階調及び該第１階調と異なる第２階調で表示された第１画像から該第１画像と異なる前記第１及び第２階調で表示された第２画像へ書き換える際、前記複数の画素のうち表示すべき階調が前記第２階調から前記第１階調へ変化する画素である第１画素の前記画素電極及び前記対向電極間に前記第１階調に対応する電圧が印加されるように、かつ、前記複数の画素のうち表示すべき階調が前記第１階調のままで変化しない画素のうち、前記第１画像が前記表示部に表示されていたときに前記第２階調を表示していた画素に隣り合う辺を２辺以上有する画素である第２画素の前記画素電極及び前記対向電極間に前記第１階調に対応する電圧が印加されるように、かつ、前記複数の画素のうち表示すべき階調が前記第１階調のままで変化しない画素のうち前記第２画素以外の画素である第３画素の前記画素電極及び前記対向電極間に電圧が印加されないように、かつ、前記複数の画素のうち表示すべき階調が前記第１階調から前記第２階調へ変化する画素である第４画素の前記画素電極及び前記対向電極間に前記第２階調に応じた電圧が印加されるように、かつ、前記複数の画素のうち表示すべき階調が前記第２階調のままで変化しない画素である第５画素の前記画素電極及び前記対向電極間に電圧が印加されないように、前記駆動部を制御する。
【００２１】
本発明に係る第２の電気光学装置の制御装置によれば、前述した本発明に係る第２の電気光学装置の制御方法と同様に、電気光学装置において、ＤＣバランスが崩れることを抑制しつつ、輪郭残像の発生を低減できる。この結果、表示部に高品質な画像を表示することが可能になるとともに、電気光学装置の信頼性を向上させることができる。更に、表示部に表示されている画像を、第１画像から第２画像に、例えば第１階調のみで表示された画像（例えば全白画像）を表示部に表示させることなく直接的に書き換えることができる。
【００２２】
本発明に係る電気光学装置は上記課題を解決するために、前述した本発明に係る第１又は第２の電気光学装置の制御装置を備える。
【００２３】
本発明に係る電気光学装置によれば、前述した本発明に係る第１又は第２の電気光学装置の制御装置を備えるので、ＤＣバランスが崩れることを抑制しつつ、輪郭残像の発生を低減できる。この結果、表示部に高品質な画像を表示することが可能になるとともに、当該電気光学装置の信頼性を向上させることができる。
【００２４】
本発明に係る電子機器は上記課題を解決するために、本発明に係る電子機器によれば、前述した本発明に係る電気光学装置を備えるので、高品質な画像を表示することが可能な、例えば、腕時計、電子ペーパー、電子ノート、携帯電話、携帯用オーディオ機器などの各種電子機器を実現できる。
【００２５】
本発明の作用及び他の利得は次に説明する発明を実施するための形態から明らかにされる。
【図面の簡単な説明】
【００２６】
【図１】第１実施形態に係る電気泳動表示装置の全体構成を示すブロック図である。
【図２】第１実施形態に係る電気泳動表示装置の画素の電気的な構成を示す等価回路図である。
【図３】第１実施形態に係る電気泳動表示装置の表示部の部分断面図である。
【図４】表示部に順に表示される画像の一例を示す平面図である。
【図５】画像Ｐｗから画像Ｐ１に書き換える際に各画素に印加される電圧を示す概念図である。
【図６】画像Ｐｗから画像Ｐ１に書き換える際に発生し得る滲み部の一例を示す平面図である。
【図７】画像Ｐ１から画像Ｐｗに書き換える際に各画素に印加される電圧を示す概念図である。
【図８】表示部に順に表示される画像の他の例を示す平面図である。
【図９】画像Ｐｂから画像Ｐ１に書き換える際に各画素に印加される電圧を示す概念図である。
【図１０】画像Ｐｂから画像Ｐ１に書き換える際に発生し得る滲み部の一例を示す平面図である。
【図１１】画像Ｐ１から画像Ｐｂに書き換える際に各画素に印加される電圧を示す概念図である。
【図１２】表示部に順に表示される画像の他の例を示す平面図である。
【図１３】画像Ｐｗから画像Ｐ２に書き換える際に各画素に印加される電圧を示す概念図である。
【図１４】画像Ｐｗから画像Ｐ２に書き換える際に発生し得る滲み部の一例を示す平面図である。
【図１５】画像Ｐ２から画像Ｐ３に書き換える際に各画素に印加される電圧を示す概念図である。
【図１６】電気光学装置を適用した電子機器の一例たる電子ペーパーの構成を示す斜視図である。
【図１７】電気光学装置を適用した電子機器の一例たる電子ノートの構成を示す斜視図である。
【発明を実施するための形態】
【００２７】
以下では、本発明の実施形態について図を参照しつつ説明する。以下の実施形態では、本発明に係る電気光学装置の一例である電気泳動表示装置を例にとる。
【００２８】
＜第１実施形態＞
第１実施形態に係る電気泳動表示装置について、図１から図７を参照して説明する。
【００２９】
まず、本実施形態に係る電気泳動表示装置の全体構成について、図１及び図２を参照して説明する。
【００３０】
図１は、本実施形態に係る電気泳動表示装置の全体構成を示すブロック図である。
【００３１】
図１において、本実施形態に係る電気泳動表示装置１は、アクティブマトリクス駆動方式の電気泳動表示装置であり、表示部３と、コントローラー１０と、走査線駆動回路６０と、データ線駆動回路７０と、共通電位供給回路２２０とを備えている。なお、コントローラー１０が本発明に係る「電気光学装置の制御装置」の一例である。また、走査線駆動回路６０、データ線駆動回路７０及び共通電位供給回路２２０が本発明に係る「駆動部」の一例を構成する。以下、走査線駆動回路６０、データ線駆動回路７０及び共通電位供給回路２２０を「駆動部」と適宜総称する。
【００３２】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３３】
コントローラー１０は、走査線駆動回路６０、データ線駆動回路７０及び共通電位供給回路２２０の動作を制御する。コントローラー１０は、例えば、クロック信号、スタートパルス等のタイミング信号を各回路に供給する。
【００３４】
走査線駆動回路６０は、コントローラー１０による制御下で、所定のフレーム期間中に、走査線Ｙ１、Ｙ２、…、Ｙｍの各々に走査信号をパルス的に順次供給する。
【００３５】
データ線駆動回路７０は、コントローラー１０による制御下で、データ線Ｘ１、Ｘ２、…、Ｘｎにデータ電位を供給する。データ電位は、基準電位ＧＮＤ（例えば０ボルト）又は高電位ＶＨ（例えば＋１５ボルト）のいずれかの電位をとる。なお、後述するように、本実施形態では、基本的には、前述した部分書き換え駆動が採用されている。
【００３６】
共通電位供給回路２２０は、コントローラー１０による制御下で、共通電位線９３に共通電位Ｖｃｏｍを供給する。共通電位Ｖｃｏｍは、基準電位ＧＮＤ（例えば０ボルト）又は高電位ＶＨ（例えば＋１５ボルト）のいずれかの電位をとる。
【００３７】
なお、コントローラー１０、走査線駆動回路６０、データ線駆動回路７０及び共通電位供給回路２２０には、各種の信号が入出力されるが、本実施形態と特に関係のないものについては説明を省略する。
【００３８】
図２は、画素２０の電気的な構成を示す等価回路図である。
【００３９】
図２において、画素２０は、画素スイッチング用トランジスター２４と、画素電極２１と、対向電極２２と、電気泳動素子２３と、保持容量２７とを備えている。
【００４０】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図１参照）からデータ線５０を介して供給されるデータ電位を、走査線駆動回路６０（図１参照）から走査線４０を介してパルス的に供給される走査信号に応じたタイミングで、画素電極２１及び保持容量２７に出力する。
【００４１】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００４２】
対向電極２２は、共通電位Ｖｃｏｍが供給される共通電位線９３に電気的に接続されている。
【００４３】
電気泳動素子２３は、電気泳動粒子をそれぞれ含んでなる複数のマイクロカプセルから構成されている。
【００４４】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によって画素電極２１の電位を一定期間だけ維持することができる。
【００４５】
次に、電気泳動表示装置１の表示部３の具体的な構成について、図３を参照して説明する。
【００４６】
図３は、電気泳動表示装置１の表示部３の部分断面図である。
【００４７】
図３において、表示部３は、素子基板２８と対向基板２９との間に電気泳動素子２３が挟持される構成となっている。なお、本実施形態では、対向基板２９側に画像を表示することを前提として説明する。
【００４８】
素子基板２８は、例えばガラスやプラスチック等からなる基板である。素子基板２８上には、ここでは図示を省略するが、図２を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００４９】
対向基板２９は、例えばガラスやプラスチック等からなる透明な基板である。対向基板２９における素子基板２８との対向面上には、対向電極２２が複数の画素電極２１と対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００５０】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００５１】
マイクロカプセル８０は、画素電極２１及び対向電極２２間に挟持され、１つの画素２０内に（言い換えれば、１つの画素電極２１に対して）１つ又は複数配置されている。
【００５２】
マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００５３】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００５４】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００５５】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００５６】
黒色粒子８３は、例えば、アニリンブラック、カーボンブラック等の黒色顔料からなる粒子（高分子或いはコロイド）であり、例えば正に帯電されている。
【００５７】
このため、白色粒子８２及び黒色粒子８３は、画素電極２１と対向電極２２との間の電位差によって発生する電場によって、分散媒８１中を移動することができる。
【００５８】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００５９】
図３において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部３の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【００６０】
なお、白色粒子８２、黒色粒子８３に用いる顔料を、例えば赤色、緑色、青色等の顔料に代えることによって、赤色、緑色、青色等を表示することができる。
【００６１】
次に、本実施形態に係る電気泳動表示装置の制御方法について、図４から図７を参照して説明する。以下では、図４に示すように、表示部３に表示される画像が、全白画像である画像Ｐｗから白黒の２階調画像である画像Ｐ１へ書き換えられ、この画像Ｐ１が再び全白画像である画像Ｐｗへ書き換えられる場合を例にとりながら、前述した電気泳動表示装置１の制御方法について説明する。
【００６２】
図４は、表示部３に順に表示される画像の一例を示す平面図である。
【００６３】
図４に示すように、画像Ｐｗは、白色のみからなる全白画像である。画像Ｐ１は、黒色及び白色の２階調からなる白黒の２階調画像であり、白色を有する白画像部分Ｒｗと、黒色を有する黒画像部分Ｒｂとを有している。なお、画像Ｐ１は本発明に係る「第１画像」の一例であり、画像Ｐｗは本発明に係る「第２画像」の一例である。
【００６４】
図５は、画像Ｐｗから画像Ｐ１に書き換える際に複数の画素２０の各々の画素電極２１及び対向電極２２間に印加される電圧を概念的に示す概念図である。なお、図５では、画素電極２１及び対向電極２２間に、画素電極２１側の電位が対向電極２２側の電位よりも高い電圧が印加されることを「＋」として図示し、画素電極２１及び対向電極２２間に電圧が印加されないことを「０」として図示している。
【００６５】
図５に示すように、本実施形態では、基本的には、前述した部分書き換え駆動が採用されている。即ち、本実施形態では、表示部３に表示された画像を、画像Ｐｗから画像Ｐ１に書き換える場合、階調を白色から黒色に変化させるべき画素２０ｂ（即ち、黒画像部分Ｒｂに対応する画素２０）については、画素電極２１側の電位が対向電極２２側の電位よりも高くなる電圧が画素電極２１及び対向電極２２間に供給され（即ち、画素電極２１にデータ電位として高電位ＶＨが供給されるとともに対向電極２２に共通電位Ｖｃｏｍとして基準電位ＧＮＤが供給され）、階調を変化させない（即ち、階調を白色のまま維持すべき）画素２０ｗ（即ち、白画像部分Ｒｗに対応する画素２０）については、画素電極２１及び対向電極２２間に電圧が印加されない（即ち、画素電極２１にデータ電位として基準電位ＧＮＤが供給されるとともに対向電極２２に共通電位Ｖｃｏｍとして基準電位ＧＮＤが供給される）。これにより、階調を白色から黒色に変化させるべき、黒画像部分Ｒｂに対応する画素２０ｂでは、表示面側（即ち、対向電極２２側）に黒色粒子８３が集まって黒色が表示され、階調を変化させない、白画像部分Ｒｗに対応する画素２０ｗでは、基本的には、白色粒子８２及び黒色粒子８３はほとんど或いは全く移動せず、階調が白色のまま維持される。
【００６６】
図６は、表示部３に表示されている画像を画像Ｐｗから画像Ｐ１に書き換えるために複数の画素２０の各々に図５を参照して前述したように電圧が印加された場合に発生し得る滲み部Ｒｅの一例を示す平面図である。
【００６７】
図６に示すように、本実施形態では、図５を参照して前述したように部分書き換え駆動によって画像Ｐｗを画像Ｐ１に書き換えるので、表示部３に表示される画像のうち黒色で表示される黒画像部分Ｒｂと白色で表示される白画像部分Ｒｗとの境界部が滲んだように表示されてしまうおそれがある、言い換えれば、黒画像部分Ｒｂの輪郭部が白画像部分Ｒｗ側に広がったように（或いは膨らんだように）表示されてしまうおそれがある。ここで特に、本願発明者の研究によれば、このように滲んだように見える部分（以下「滲み部Ｒｅ」と適宜称する）は、画像Ｐｗから画像Ｐ１に書き換えられる際、階調を白色のまま維持すべき画素２０ｗ（即ち、電圧が印加されない画素２０）のうち階調が白色から黒色に変化すべき画素２０ｂ（即ち、画素電極２１側の電位が対向電極２２側の電位よりも高い電圧が印加される画素２０）に隣り合う（又は隣接する）辺を２辺以上有する画素２０に比較的多く発生することが判明している。即ち、図６に示すように、滲み部Ｒｅは、例えば黒画像部分Ｒｂが屈曲している部分に隣接するように局所的に発生する傾向がある。このような滲み部Ｒｅは、仮に黒画像部分Ｒｂに対応する画素２０のみに電圧を印加することにより、表示部３に表示される画像を画像Ｐ１から全白画像である画像Ｐｗに再び書き換えた場合、輪郭残像として残ってしまうおそれがある。
【００６８】
そこで、本実施形態では、表示部３に表示される画像を、画像Ｐ１から全白画像である画像Ｐｗに書き換える際、複数の画素２０の各々の画素電極２１及び対向電極２２間に以下のように電圧が印加される。
【００６９】
図７は、画像Ｐ１から画像Ｐｗに書き換える際に複数の画素２０の各々の画素電極２１及び対向電極２２間に印加される電圧を概念的に示す概念図である。なお、図７では、画素電極２１及び対向電極２２間に、画素電極２１側の電位が対向電極２２側の電位よりも低い電圧が印加されることを「−」として図示し、画素電極２１及び対向電極２２間に電圧が印加されないことを「０」として図示している。また、画素電極２１側の電位が対向電極２２側の電位よりも低い電圧（即ち、「−」の電圧）は、本発明に係る「第１階調に対応する電圧」の一例である。
【００７０】
図７に示すように、本実施形態では特に、表示部３に表示されている画像を、白画像部分Ｒｗ及び黒画像部分Ｒｂを有する画像Ｐ１から全白画像である画像Ｐｗへ書き換える際、複数の画素２０のうち表示すべき階調が黒色から白色へ変化する画素２０（即ち、黒画像部分Ｒｂに対応する画素２０ｂ）については、画素電極２１側の電位が対向電極２２側の電位よりも低い電圧が画素電極２１及び対向電極２２間に印加されるように（即ち、画素電極２１にデータ電位として基準電位ＧＮＤが供給されるとともに対向電極２２に共通電位Ｖｃｏｍとして高電位ＶＨが供給されるように）、かつ、複数の画素２０のうち表示すべき階調が白色のままで変化しない画素２０のうち、画像Ｐ１が表示部３に表示されていたときに黒色を表示していた画素２０（即ち、黒画像部分Ｒｂに対応する画素２０ｂ）に隣り合う辺を２辺以上有する画素２０ｅについては、画素電極２１側の電位が対向電極２２側の電位よりも低い電圧が画素電極２１及び対向電極２２間に印加されるように（即ち、画素電極２１にデータ電位として基準電位ＧＮＤが供給されるとともに対向電極２２に共通電位Ｖｃｏｍとして高電位ＶＨが供給されるように）、かつ、複数の画素２０のうち表示すべき階調が白色のままで変化しない画素２０のうち画素２０ｅ以外の画素２０である画素２０ｗｗについては、画素電極２１及び対向電極２２間に電圧が印加されないように、駆動部がコントローラー１０によって制御される。即ち、本実施形態では、表示部３に表示されている画像Ｐ１を全白画像である画像Ｐｗへ書き換える際、黒画像部分Ｒｂに対応する画素２０ｂに加えて、画素２０ｂに隣り合う辺を２辺以上有する画素２０ｅに電圧が印加されるととともに、画素２０ｂ及び２０ｅ以外の画素２０ｗｗに電圧が印加されないように、駆動部がコントローラー１０によって制御される。なお、画素２０ｂは本発明に係る「第１画素」の一例であり、画素２０ｅは本発明に係る「第２画素」の一例であり、画素２０ｗｗは本発明に係る「第３画素」の一例である。
【００７１】
よって、黒画像部分Ｒｂに対応する画素２０ｂ、及び画素２０ｂに隣り合う辺を２辺以上有する画素２０ｅ（言い換えれば、滲み部Ｒｅに対応する画素２０ｅ）の各々において白色を確実に表示させることができる。言い換えれば、黒画像部分Ｒｂ及び滲み部Ｒｅを確実に消去でき、滲み部Ｒｅが輪郭残像として残ってしまうことを低減できる。この結果、表示部３に全白画像である画像Ｐｗを確実に表示させることができる。
【００７２】
更に、本実施形態では特に、黒画像部分Ｒｂに対応する画素２０ｂに隣り合う辺を有する画素２０のうち、画素２０ｂに隣り合う辺を２辺以上有する画素２０ｅの画素電極２１及び対向電極２２間に電圧が印加されるように、かつ、画素２０ｂに隣り合う辺を１辺のみ有する画素２０の画素電極２１及び対向電極２２間に電圧が印加されないように、駆動部がコントローラー１０によって制御される。よって、例えば、仮に、輪郭残像を消去することを目的として、黒画像部分Ｒｂに対応する画素２０ｂに隣り合う辺を有する全ての画素２０の画素電極２１及び対向電極２２間に電圧が印加される場合と比較して、ＤＣバランスが崩れることを抑制できる。よって、電気泳動表示装置１の信頼性を向上させることができる。
【００７３】
以上説明したように、本実施形態によれば、ＤＣバランスが崩れることを抑制しつつ、輪郭残像の発生を低減できる。この結果、表示部３に高品質な画像を表示することが可能になるとともに、電気泳動表示装置１の信頼性を向上させることができる。
【００７４】
＜変形例＞
前述した第１実施形態では、図４に示したように、表示部３に表示される画像が、全白画像である画像Ｐｗから白黒の２階調画像である画像Ｐ１へ書き換えられ、この画像Ｐ１が再び全白画像である画像Ｐｗへ書き換えられる場合を例にとって説明したが、本発明は、図８に示すように、表示部３に表示される画像が、全黒画像である画像Ｐｂから白黒の２階調画像である画像Ｐ１へ書き換えられ、この画像Ｐ１が再び全黒画像である画像Ｐｂへ書き換えられる場合にも適用することができる。
【００７５】
図８は、表示部３に順に表示される画像の他の例を示す平面図である。
【００７６】
図８に示すように、画像Ｐｂは、黒色のみからなる全黒画像である。画像Ｐ１は、黒色及び白色の２階調からなる白黒の２階調画像であり、白色を有する白画像部分Ｒｗと、黒色を有する黒画像部分Ｒｂとを有している。なお、画像Ｐ１は本発明に係る「第１画像」の一例であり、画像Ｐｂは本発明に係る「第２画像」の一例である。
【００７７】
図９は、画像Ｐｂから画像Ｐ１に書き換える際に複数の画素２０の各々の画素電極２１及び対向電極２２間に印加される電圧を概念的に示す概念図である。なお、図９では、画素電極２１及び対向電極２２間に、画素電極２１側の電位が対向電極２２側の電位よりも低い電圧が印加されることを「−」として図示し、画素電極２１及び対向電極２２間に電圧が印加されないことを「０」として図示している。
【００７８】
図９に示すように、本変形例では、前述した第１実施形態と同様に、基本的には、前述した部分書き換え駆動が採用されている。即ち、本変形例では、表示部３に表示された画像を、画像Ｐｂから画像Ｐ１に書き換える場合、階調を黒色から白色に変化させるべき画素２０ｗ（即ち、白画像部分Ｒｗに対応する画素２０）については、画素電極２１側の電位が対向電極２２側の電位よりも低い電圧が画素電極２１及び対向電極２２間に印加され（即ち、画素電極２１にデータ電位として基準電位ＧＮＤが供給されるとともに対向電極２２に共通電位Ｖｃｏｍとして高電位ＶＨが供給され）、階調を変化させない（即ち、階調を黒色のまま維持すべき）画素２０ｂ（即ち、黒画像部分Ｒｂに対応する画素２０）については、画素電極２１及び対向電極２２間に電圧が印加されない（即ち、画素電極２１にデータ電位として基準電位ＧＮＤが供給されるとともに対向電極２２に共通電位Ｖｃｏｍとして基準電位ＧＮＤが供給される）。これにより、階調を黒色から白色に変化させるべき、白画像部分Ｒｗに対応する画素２０ｗでは、表示面側（即ち、対向電極２２側）に白色粒子８２が集まって白色が表示され、階調を変化させない、黒画像部分Ｒｂに対応する画素２０ｂでは、基本的には、白色粒子８２及び黒色粒子８３はほとんど或いは全く移動せず、階調が黒色のまま維持される。
【００７９】
図１０は、表示部３に表示されている画像を画像Ｐｂから画像Ｐ１に書き換えるために複数の画素２０の各々に図９を参照して前述したように電圧が印加された場合に発生し得る、滲み部Ｒｅの一例を示す平面図である。
【００８０】
図１０に示すように、本実施形態では、図９を参照して前述したように部分書き換え駆動によって画像Ｐｂを画像Ｐ１に書き換えるので、表示部３に表示される画像のうち白色で表示される白画像部分Ｒｗと黒色で表示される黒画像部分Ｒｂとの境界部が滲んだように表示されてしまうおそれがある、言い換えれば、白画像部分Ｒｗの輪郭部が黒画像部分Ｒｂ側に広がったように（更に言い換えれば、黒画像部分Ｒｂの輪郭が部分的に狭くなったように）表示されてしまうおそれがある。ここで特に、本願発明者の研究によれば、このように滲んだように見える部分である滲み部Ｒｅは、画像Ｐｂから画像Ｐ１に書き換えられる際、階調を黒色のまま維持すべき画素２０ｂ（即ち、電圧が印加されない画素２０）のうち階調が黒色から白色に変化すべき画素２０ｗ（即ち、画素電極２１側の電位が対向電極２２側の電位よりも低い電圧が印加される画素２０）に隣り合う辺を２辺以上有する画素２０に比較的多く発生することが判明している。即ち、図１０に示すように、滲み部Ｒｅは、例えば白画像部分Ｒｗが屈曲している部分に隣接するように局所的に発生する傾向がある。このような滲み部Ｒｅは、仮に白画像部分Ｒｗに対応する画素２０のみに電圧を印加することにより、表示部３に表示される画像を画像Ｐ１から全黒画像である画像Ｐｂに再び書き換えた場合、輪郭残像として残ってしまうおそれがある。
【００８１】
そこで、本変形例では、表示部３に表示される画像を、画像Ｐ１から全黒画像である画像Ｐｂに書き換える際、複数の画素２０の各々の画素電極２１及び対向電極２２間に以下のように電圧が印加される。
【００８２】
図１１は、画像Ｐ１から画像Ｐｂに書き換える際に複数の画素２０の各々の画素電極２１及び対向電極２２間に印加される電圧を概念的に示す概念図である。なお、図１１では、画素電極２１及び対向電極２２間に、画素電極２１側の電位が対向電極２２側の電位よりも高い電圧が印加されることを「＋」として図示し、画素電極２１及び対向電極２２間に電圧が印加されないことを「０」として図示している。また、本変形例において、画素電極２１側の電位が対向電極２２側の電位よりも高い電圧（即ち、「＋」の電圧）は、本発明に係る「第１階調に対応する電圧」の一例である。
【００８３】
図１１に示すように、本実施形態では特に、表示部３に表示されている画像を、白画像部分Ｒｗ及び黒画像部分Ｒｂを有する画像Ｐ１から全黒画像である画像Ｐｂへ書き換える際、複数の画素２０のうち表示すべき階調が白色から黒色へ変化する画素２０（即ち、白画像部分Ｒｗに対応する画素２０ｗ）については、画素電極２１側の電位が対向電極２２側の電位よりも高い電圧が画素電極２１及び対向電極２２間に印加されるように（即ち、画素電極２１にデータ電位として高電位ＶＨが供給されるとともに対向電極２２に共通電位Ｖｃｏｍとして基準電位ＧＮＤが供給されるように）、かつ、複数の画素２０のうち表示すべき階調が黒色のままで変化しない画素２０のうち、画像Ｐ１が表示部３に表示されていたときに白色を表示していた画素２０（即ち、白画像部分Ｒｗに対応する画素２０ｗ）に隣り合う辺を２辺以上有する画素２０ｅについては、画素電極２１側の電位が対向電極２２側の電位よりも高い電圧が画素電極２１及び対向電極２２間に印加されるように（即ち、画素電極２１にデータ電位として高電位ＶＨが供給されるとともに対向電極２２に共通電位Ｖｃｏｍとして基準電位ＧＮＤが供給されるように）、かつ、複数の画素２０のうち表示すべき階調が黒色のままで変化しない画素２０のうち画素２０ｅ以外の画素２０である画素２０ｂｂについては、画素電極２１及び対向電極２２間に電圧が印加されないように、駆動部がコントローラー１０によって制御される。即ち、本実施形態では、表示部３に表示されている画像Ｐ１を全黒画像である画像Ｐｂへ書き換える際、白画像部分Ｒｗに対応する画素２０ｗに加えて、画素２０ｗに隣り合う辺を２辺以上有する画素２０ｅに電圧が印加されるととともに、画素２０ｗ及び２０ｅ以外の画素２０ｂｂに電圧が印加されないように、駆動部がコントローラー１０によって制御される。なお、画素２０ｗは本発明に係る「第１画素」の一例であり、画素２０ｅは本発明に係る「第２画素」の一例であり、画素２０ｂｂは本発明に係る「第３画素」の一例である。
【００８４】
よって、白画像部分Ｒｗに対応する画素２０ｗ、及び画素２０ｗに隣り合う辺を２辺以上有する画素２０ｅ（言い換えれば、滲み部Ｒｅに対応する画素２０ｅ）の各々において黒色を確実に表示させることができる。言い換えれば、白画像部分Ｒｗ及び滲み部Ｒｅを確実に消去でき、滲み部Ｒｅが輪郭残像として残ってしまうことを低減できる。この結果、表示部３に全黒画像である画像Ｐｂを確実に表示させることができる。
【００８５】
更に、本実施形態では特に、白画像部分Ｒｗに対応する画素２０ｗに隣り合う辺を有する画素２０のうち、画素２０ｗに隣り合う辺を２辺以上有する画素２０ｅの画素電極２１及び対向電極２２間に電圧が印加されるように、かつ、画素２０ｗに隣り合う辺を１辺のみ有する画素２０の画素電極２１及び対向電極２２間に電圧が印加されないように、駆動部がコントローラー１０によって制御される。よって、例えば、仮に、輪郭残像を消去することを目的として、白画像部分Ｒｗに対応する画素２０ｗに隣り合う辺を有する全ての画素２０の画素電極２１及び対向電極２２間に電圧が印加される場合と比較して、ＤＣバランスが崩れることを抑制できる。よって、電気泳動表示装置１の信頼性を向上させることができる。
【００８６】
以上説明したように、本実施形態によれば、ＤＣバランスが崩れることを抑制しつつ、輪郭残像の発生を低減できる。この結果、表示部３に高品質な画像を表示することが可能になるとともに、電気泳動表示装置１の信頼性を向上させることができる。
【００８７】
＜第２実施形態＞
第２実施形態に係る電気泳動表示装置について、図１２から図１５を参照して説明する。
【００８８】
第２実施形態に係る電気泳動表示装置は、データ線駆動回路７０がデータ電位として基準電位ＧＮＤ（例えば０ボルト）、高電位ＶＨ（例えば＋１５ボルト）又は低電位ＶＬ（例えば−１５ボルト）を供給可能に構成されている点、及び共通電位供給回路２２０が共通電位Ｖｃｏｍとして基準電位ＧＮＤ（例えば０ボルト）を供給する点で、前述した第１実施形態に係る電気泳動表示装置１と異なり、その他の点については、前述した第１実施形態に係る電気泳動表示装置１と概ね同様に構成されている。
【００８９】
以下では、図１２に示すように、表示部３に表示される画像が、全白画像である画像Ｐｗから白黒の２階調画像である画像Ｐ２へ書き換えられ、この画像Ｐ２が、この画像Ｐ２とは異なる白黒の２階調画像である画像Ｐ３へ書き換えられる場合を例にとりながら、本実施形態に係る電気泳動表示装置の制御方法について説明する。
【００９０】
図１２は、表示部３に順に表示される画像の他の例を示す平面図である。
【００９１】
図１２に示すように、画像Ｐｗは、白色のみからなる全白画像である。画像Ｐ２は、黒色及び白色の２階調からなる白黒の２階調画像であり、白色を有する白画像部分Ｒｗ２と、黒色を有する黒画像部分Ｒｂ２とを有している。画像Ｐ３は、画像Ｐ２とは異なる白黒の２階調画像であり、白色を有する白画像部分Ｒｗ３と、黒色を有する黒画像部分Ｒｂ３とを有している。なお、画像Ｐ２は本発明に係る「第１画像」の一例であり、画像Ｐｗは本発明に係る「第２画像」の一例である。
【００９２】
図１３は、画像Ｐｗから画像Ｐ２に書き換える際に複数の画素２０の各々の画素電極２１及び対向電極２２間に印加される電圧を概念的に示す概念図である。なお、図１３では、画素電極２１及び対向電極２２間に、画素電極２１側の電位が対向電極２２側の電位よりも高い電圧が印加されることを「＋」として図示し、画素電極２１及び対向電極２２間に電圧が印加されないことを「０」として図示している。
【００９３】
図１３に示すように、本実施形態では、基本的には、前述した部分書き換え駆動が採用されている。即ち、本実施形態では、表示部３に表示された画像を、画像Ｐｗから画像Ｐ２に書き換える場合、階調を白色から黒色に変化させるべき画素２０（即ち、黒画像部分Ｒｂ２に対応する画素２０ｂ２）については、画素電極２１側の電位が対向電極２２側の電位よりも高くなる電圧が画素電極２１及び対向電極２２間に供給され（即ち、画素電極２１にデータ電位として高電位ＶＨが供給されるとともに対向電極２２に共通電位Ｖｃｏｍとして基準電位ＧＮＤが供給され）、階調を変化させない（即ち、階調を白色のまま維持すべき）画素２０（即ち、白画像部分Ｒｗ２に対応する画素２０ｗ２）については、画素電極２１及び対向電極２２間に電圧が印加されない（即ち、画素電極２１にデータ電位として基準電位ＧＮＤが供給されるとともに対向電極２２に共通電位Ｖｃｏｍとして基準電位ＧＮＤが供給される）。これにより、階調を白色から黒色に変化させるべき、黒画像部分Ｒｂ２に対応する画素２０ｂ２では、表示面側（即ち、対向電極２２側）に黒色粒子８３が集まって黒色が表示され、階調を変化させない、白画像部分Ｒｗ２に対応する画素２０ｗ２では、基本的には、白色粒子８２及び黒色粒子８３はほとんど或いは全く移動せず、階調が白色のまま維持される。
【００９４】
図１４は、表示部３に表示されている画像を画像Ｐｗから画像Ｐ２に書き換えるために複数の画素２０の各々に図１３を参照して前述したように電圧が印加された場合に発生し得る、滲み部Ｒｅの一例を示す平面図である。
【００９５】
図１４に示すように、本実施形態では、図１３を参照して前述したように部分書き換え駆動によって画像Ｐｗを画像Ｐ２に書き換えるので、表示部３に表示される画像のうち黒色で表示される黒画像部分Ｒｂ２と白色で表示される白画像部分Ｒｗ２との境界部が滲んだように表示されてしまうおそれがある、言い換えれば、黒画像部分Ｒｂ２の輪郭部が白画像部分Ｒｗ２側に広がったように（或いは膨らんだように）表示されてしまうおそれがある。ここで特に、本願発明者の研究によれば、このように滲んだように見える部分である滲み部Ｒｅは、画像Ｐｗから画像Ｐ２に書き換えられる際、階調を白色のまま維持すべき画素２０ｗ２（即ち、電圧が印加されない画素２０）のうち階調が白色から黒色に変化すべき画素２０ｂ２（即ち、画素電極２１側の電位が対向電極２２側の電位よりも高い電圧が印加される画素２０）に隣り合う辺を２辺以上有する画素２０に比較的多く発生することが判明している。即ち、図１４に示すように、滲み部Ｒｅは、例えば黒画像部分Ｒｂ２が屈曲している部分に隣接するように局所的に発生する傾向がある。このような滲み部Ｒｅは、仮に階調を変化させるべき画素２０のみに電圧を印加することにより、表示部３に表示される画像を画像Ｐ２から画像Ｐ３に書き換えた場合、その全部又は一部が輪郭残像として残ってしまうおそれがある。
【００９６】
そこで、本実施形態では、表示部３に表示される画像を、画像Ｐ２から画像Ｐ３に書き換える際、複数の画素２０の各々の画素電極２１及び対向電極２２間に以下のように電圧が印加される。
【００９７】
図１５は、画像Ｐ２から画像Ｐ３に書き換える際に複数の画素２０の各々の画素電極２１及び対向電極２２間に印加される電圧を概念的に示す概念図である。なお、図１５では、画素電極２１及び対向電極２２間に、画素電極２１側の電位が対向電極２２側の電位よりも低い電圧が印加されることを「−」として図示し、画素電極２１及び対向電極２２間に電圧が印加されないことを「０」として図示している。また、画素電極２１側の電位が対向電極２２側の電位よりも低い電圧（即ち、「−」の電圧）は、本発明に係る「第１階調に対応する電圧」の一例である。
【００９８】
図１５に示すように、本実施形態では特に、表示部３に表示されている画像を、白画像部分Ｒｗ２及び黒画像部分Ｒｂ２を有する画像Ｐ２から、白画像部分Ｒｗ３及び黒画像部分Ｒｂ３を有する画像Ｐ３へ書き換える際、複数の画素２０のうち表示すべき階調が黒色から白色へ変化する画素２０（即ち、黒画像部分Ｒｂ２に対応するとともに、白画像部分Ｒｗ３に対応する画素２０ｂｗ）については、画素電極２１側の電位が対向電極２２側の電位よりも低い電圧が画素電極２１及び対向電極２２間に印加されるように（即ち、画素電極２１にデータ電位として低電位ＶＬが供給されるとともに対向電極２２に共通電位Ｖｃｏｍとして基準電位ＧＮＤが供給されるように）、かつ、複数の画素２０のうち表示すべき階調が白色のままで変化しない画素２０（即ち、白画像部分Ｒｗ２に対応するとともに、白画像部分Ｒｗ３に対応する画素２０）のうち、画像Ｐ２が表示部３に表示されていたときに黒色を表示していた画素２０（即ち、黒画像部分Ｒｂ２に対応する画素２０ｂ２）に隣り合う辺を２辺以上有する画素２０ｅについては、画素電極２１の電位が対向電極２２の電位よりも低い電圧が画素電極２１及び対向電極２２間に印加されるように（即ち、画素電極２１にデータ電位として低電位ＶＬが供給されるとともに対向電極２２に共通電位Ｖｃｏｍとして基準電位ＧＮＤが供給されるように）、かつ、複数の画素２０のうち表示すべき階調が白色のままで変化しない画素２０のうち画素２０ｅ以外の画素２０ｗｗについては、画素電極２１及び対向電極２２間に電圧が印加されないように（即ち、画素電極２１にデータ電位として基準電位ＧＮＤが供給されるとともに対向電極２２に共通電位Ｖｃｏｍとして基準電位ＧＮＤが供給されるように）、かつ、複数の画素２０のうち表示すべき階調が白色から黒色へ変化する画素２０（即ち、白画像部分Ｒｗ２に対応するとともに、黒画像部分Ｒｂ３に対応する画素２０ｗｂ）については、画素電極２１側の電位が対向電極２２側の電位よりも高い電圧が画素電極２１及び対向電極２２間に印加されるように（即ち、画素電極２１にデータ電位として高電位ＶＨが供給されるとともに対向電極２２に共通電位Ｖｃｏｍとして基準電位ＧＮＤが供給されるように）、かつ、複数の画素２０のうち表示すべき階調が黒色のままで変化しない画素２０（即ち、黒画像部分Ｒｂ２に対応するとともに、黒画像部分Ｒｂ３に対応する画素２０ｂｂ）については、画素電極２１及び対向電極２２間に電圧が印加されないように、駆動部がコントローラー１０によって制御される。
【００９９】
即ち、本実施形態では、表示部３に表示されている画像Ｐ２を画像Ｐ３へ書き換える際、表示すべき階調が黒色から白色へ変化する画素２０ｂｗに加えて、表示すべき階調が白色のままで変化しない画素２０のうち画素２０ｂｗに隣り合う辺を２辺以上有する画素２０ｅに、画素電極２１側の電位が対向電極２２側の電位よりも低い電圧が印加されるように、かつ、表示すべき階調が白色から黒色へ変化する画素２０ｗｂに、画素電極２１側の電位が対向電極２２側の電位よりも高い電圧が印加されるように、かつ、画素２０ｂｗ、２０ｅ及び２０ｗｂ以外の画素２０である画素２０ｂｂ及び２０ｗｗに電圧が印加されないように、駆動部がコントローラー１０によって制御される。なお、画素２０ｂｗは本発明に係る「第１画素」の一例であり、画素２０ｅは本発明に係る「第２画素」の一例であり、画素２０ｗｗは本発明に係る「第３画素」の一例であり、画素２０ｗｂは本発明に係る「第４画素」の一例であり、画素２０ｂｂは本発明に係る「第５画素」の一例である。
【０１００】
よって、表示すべき階調が黒色から白色へ変化する画素２０ｂｗ、及び画素２０ｂｗに隣り合う辺を２辺以上有する画素２０ｅ（言い換えれば、滲み部Ｒｅに対応する画素２０ｅ）の各々において白色を確実に表示させることができる。言い換えれば、黒画像部分Ｒｂ２及び滲み部Ｒｅを確実に消去でき、滲み部Ｒｅが輪郭残像として残ってしまうことを低減できる。更に、表示すべき階調が白色から黒色へ変化する画素２０ｗｂ及び表示すべき階調が黒色のままで変化しない画素２０ｂｂの各々において黒色を確実に表示させることができる。この結果、表示部３に白黒の２階調画像である画像Ｐ３を確実に表示させることができる。
【０１０１】
更に、本実施形態では特に、黒画像部分Ｒｂｗ２に対応する画素２０ｂ２に隣り合う辺を有する画素２０のうち、画素２０ｂ２に隣り合う辺を２辺以上有する画素２０ｅの画素電極２１及び対向電極２２間に電圧が印加されるように、かつ、画素２０ｂに隣り合う辺を１辺のみ有する画素２０の画素電極２１及び対向電極２２間に電圧が印加されないように、駆動部がコントローラー１０によって制御される。よって、例えば、仮に、輪郭残像を消去することを目的として、表示すべき階調が白色のままで変化しない画素２０のうち、黒画像部分Ｒｂ２に対応する画素２０ｂ２に隣り合う辺を有する全ての画素２０の画素電極２１及び対向電極２２間に電圧が印加される場合と比較して、ＤＣバランスが崩れることを抑制できる。よって、電気泳動表示装置の信頼性を向上させることができる。
【０１０２】
加えて、本実施形態によれば、表示部３に表示されている画像を、画像Ｐ２から画像Ｐ３に、例えば全白画像や全黒画像を表示部３に表示させることなく直接的に書き換えることができる。
【０１０３】
＜電子機器＞
次に、前述した電気泳動表示装置を適用した電子機器について、図１６及び図１７を参照して説明する。以下では、前述した電気泳動表示装置を電子ペーパー及び電子ノートに適用した場合を例にとる。
【０１０４】
図１６は、電子ペーパー１４００の構成を示す斜視図である。
【０１０５】
図１６に示すように、電子ペーパー１４００は、前述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１０６】
図１７は、電子ノート１５００の構成を示す斜視図である。
【０１０７】
図１７に示すように、電子ノート１５００は、図１６で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１０８】
前述した電子ペーパー１４００及び電子ノート１５００は、前述した実施形態に係る電気泳動表示装置を備えるので、高品質な画像表示を行うことが可能である。
【０１０９】
なお、これらの他に、腕時計、携帯電話、携帯用オーディオ機器などの電子機器の表示部に、前述した本実施形態に係る電気泳動表示装置を適用することができる。
【０１１０】
なお、本発明は、電気泳動表示装置のほか、電子粉流体が用いられた表示装置にも適用することが可能である。また、上記実施形態では、白色粒子８２が負に帯電し、黒色粒子８３が正に帯電している例で説明したが、白色粒子８２が正に帯電し、黒色粒子８３が負に帯電していてもよい。また、電気泳動素子２３は、マイクロカプセル８０を有する構成に限られず、隔壁によって仕切られた空間に電気泳動分散媒と電気泳動粒子が含まれる構成であってもよい。
【０１１１】
また、上記実施形態では、対向電極２２に共通電位Ｖｃｏｍとして基準電位ＧＮＤ、高電位ＶＨ、又は低電位ＶＬ、のいずれかを供給しているが、例えばフィードスルーによる画素電極２１の電位の変動を考慮して、これらの各電位とはわずかに異なる値とされていてもよく、この場合であっても、本明細書では、共通電位Ｖｃｏｍが基準電位ＧＮＤ、高電位ＶＨ、又は低電位ＶＬと同電位であるとみなす。ここで、フィードスルーとは、走査線４０に走査信号が供給され、データ線５０を介して画素電極２１に電位が供給された後に、走査線４０への走査信号の供給が終了した際（例えば走査線４０の電位が低下した際）、画素電極２１の電位が、走査線４０との間の寄生容量に起因して変動する（例えば走査線４０の電位低下とともに低下する）現象をいう。共通電位Ｖｃｏｍは、フィードスルーにより画素電極２１の電位が低下することを予め想定して、基準電位ＧＮＤ、高電位ＶＨ、又は低電位ＶＬより僅かに低い値とされることがあるが、この場合も共通電位Ｖｃｏｍは基準電位ＧＮＤ、高電位ＶＨ、又は低電位ＶＬと同電位であるとみなす。
【０１１２】
本発明は、前述した実施形態に限られるものではなく、特許請求の範囲及び明細書全体から読み取れる発明の要旨或いは思想に反しない範囲で適宜変更可能であり、そのような変更を伴う電気光学装置の制御方法、電気光学装置の制御装置、電気光学装置、及び電子機器もまた本発明の技術的範囲に含まれるものである。
【符号の説明】
【０１１３】
３…表示部、１０…コントローラー、２０…画素、２１…画素電極、２２…対向電極、２４…画素スイッチング用トランジスター、２８…素子基板、２９…対向基板、４０…走査線、５０…データ線、６０…走査線駆動回路、７０…データ線駆動回路、８２…白色粒子、８３…黒色粒子、２２０…共通電位供給回路。
【図１】
0005919639.tif 000002
【図２】
0005919639.tif 000003
【図３】
0005919639.tif 000004
【図４】
0005919639.tif 000005
【図５】
0005919639.tif 000006
【図６】
0005919639.tif 000007
【図７】
0005919639.tif 000008
【図８】
0005919639.tif 000009
【図９】
0005919639.tif 000010
【図１０】
0005919639.tif 000011
【図１１】
0005919639.tif 000012
【図１２】
0005919639.tif 000013
【図１３】
0005919639.tif 000014
【図１４】
0005919639.tif 000015
【図１５】
0005919639.tif 000016
【図１６】
0005919639.tif 000017
【図１７】
0005919639.tif 000018